(57)【要約】【課題】  簡単な構造で十分な赤外線放射効果により血流増進を図ったシートを提供する。【解決手段】  血流増進用シート１０は、シート状のポリエチレンフォーム（ＰＥフォーム）１１と、ポリエステル（ＰＥＴ）フィルム１２とが積層された構造である。ＰＥフォーム１１は、遠赤外線を放射する物質を混ぜ込んでいる架橋発泡体であり、例えば、ポリエチレン樹脂１００部に対して遠赤外線を放射する物質として酸化アルミニウムを３０部を混ぜ、これに発泡剤や製泡剤を配合してよく混練して３０倍に発泡させたＰＥフォームである。このＰＥフォーム１１の厚みは、要求に応じて任意の値にスライスされるか、チップ状又は粒状に加工される。【選択図】            図１
0003113687.tif 000002
【実用新案登録請求の範囲】
【請求項１】
ポリエチレン樹脂に対して、遠赤外線を放射する物質として酸化アルミニウム又は酸化チタン又は酸化ジルコニウムの単独、あるいはこれらの併用を混ぜた、表面がシート状の架橋発泡体を少なくとも有する構造の血流増進用シート。
【請求項２】
前記架橋発泡体の２つの表面のうち、一方の表面又は両方の表面に、プラスチックフィルム又はそれらの織布、不織布又はワリフなどからなるシート状の表皮層が積層されてなる構造の請求項１記載の血流増進用シート。
【考案の詳細な説明】
【技術分野】
【０００１】
本考案は血流増進用シートに係り、特に人体に使用することにより人体の血流を増進する機能を備えた血流増進用シートに関する。
【背景技術】
【０００２】
従来より人間の健康増進、あるいは治療などのために、針、灸、磁石などによってツボを刺激し自律神経を働かせるツボ治療器や、遠赤外線を利用して患部を温めて血行を良くして治療をする医療器具が広く使用されている。また、東洋医学の気功やヨガでは気のエネルギーを利用して身体の活性化を図ることが行われるが、その気のエネルギー（波動エネルギー）を異種の金属の自由電子の相違を利用して発生させ、その波動エネルギーを身体の気のエネルギーに働きかけて患部の血流を良くするようにした医療器具が知られている（例えば、特許文献１参照）。
【０００３】
また、身体に接触させると遠赤外線、負イオン及びその他が皮膚を通して血液に反応作用させて血流を増進させるようにしたシートが知られている（例えば、特許文献２参照）。このシートは、植物天然ホルモン、２酸化チタン、ゼオライト、防カビ材、シリカ、ジルコン、セリウム、トルマリン、ゲルマニウム等鉱石粉、磁気体、水素吸蔵、金属粉などを、ポリウレタンゴム、シリコンゴムスポンジの成形前材料に混練りして製造したシートである。
【０００４】
【特許文献１】特開２００４−１８０８８８号公報
【特許文献２】特開２００５−１２００６５号公報
【考案の開示】
【考案が解決しようとする課題】
【０００５】
しかるに、特許文献１記載の医療器具は、波動エネルギーを身体の気のエネルギーに働きかけて患部の血流を良くするようにした医療器具であり、波動エネルギー発生のために回転円盤やモータなどの機構が必要であり、大掛かりで高価であるという問題がある。
【０００６】
一方、特許文献２に記載されているシートは、組成物が多く、しかもそれらの組成割合が複雑なゴムシートであり、製造が簡単でなく、また特許請求の範囲には血流を２００％以上増加させるとの記載があるが、その根拠が全く記載されておらず、血流増進効果そのものが得られるかが全く不明である。
【０００７】
本考案は以上の点に鑑みなされたもので、簡単な構造で、簡単な製造方法により人体の血流増進を行い得る血流増信用シートを提供することを目的とする。
【課題を解決するための手段】
【０００８】
本考案は上記の目的を達成するため、ポリエチレン樹脂に対して、遠赤外線を放射する物質として酸化アルミニウム又は酸化チタン又は酸化ジルコニウムの単独、あるいはこれらの併用を混ぜた、表面がシート状の架橋発泡体を少なくとも有する構造としたものである。
【０００９】
また、本考案は上記の目的を達成するため、上記の架橋発泡体の２つの表面のうち、一方の表面又は両方の表面に、プラスチックフィルム又はそれらの織布、不織布又はワリフなどからなるシート状の表皮層が積層されてなる構造としたものである。
【００１０】
この考案では、ポリエチレン樹脂に対して遠赤外線を放射する物質として酸化アルミニウム又は酸化チタン又は酸化ジルコニウムの単独、あるいはこれらを併用した、表面がシート状の架橋発泡体を有するため、加温による遠赤外線の放射効果を十分に得ることができる。また、従来に比べて組成物が少なく簡単に製造できる。
【考案の効果】
【００１１】
本考案によれば、ポリエチレン樹脂に対して遠赤外線を放射する物質として酸化アルミニウム又は酸化チタン又は酸化ジルコニウムの単独、あるいはこれらを併用した、表面がシート状の架橋発泡体を有することで、加温による遠赤外線の放射効果を十分に得ることができるため、遠赤外線による人体の血流増進効果を十分に得ることができる。
【考案を実施するための最良の形態】
【００１２】
次に、本考案の実施の形態について図面と共に説明する。図１は本考案になる血流増進用シートの各実施の形態の縦断面図を示す。同図（Ａ）は、本考案の第１の実施の形態の血流増進用シート１０ａの縦断面図を示す。この血流増進用シート１０ａは、シート状のポリエチレンフォーム（ＰＥフォーム）１１単独からなる構造である。
【００１３】
ＰＥフォーム１１は、遠赤外線を放射する物質を混ぜ込んでいる架橋発泡体であり、例えば、ポリエチレン樹脂１００部に対して遠赤外線を放射する物質として酸化アルミニウムを３０部を混ぜ、これに発泡剤や製泡剤を配合してよく混練して３０倍に発泡させたＰＥフォームである。このＰＥフォーム１１の厚みは、要求に応じて任意の値にスライスされる。なお、要求に応じて、チップ状又は粒状に加工することもできる。
【００１４】
ここで、架橋発泡体であるＰＥフォーム１１を構成するにあたっては、ポリエチレン樹脂１００部に対して酸化アルミニウムを３０部より多く混ぜると、遠赤外線の放射効果は増加する反面、ポリエチレン樹脂が硬くなりシート全体が硬く、人体に適用できるような所期の柔軟性のあるシートが得られない。他方、ポリエチレン樹脂１００部に対して酸化アルミニウムを３０部より少なく混ぜると、シート全体の柔軟性が向上する反面、遠赤外線の放射効果が十分に得られない。これに対し、本実施の形態のように、ポリエチレン樹脂１００部に対して酸化アルミニウムを３０部混ぜると、人体に適用可能な柔軟性があり、しかも後述するように遠赤外線の放射効果が十分に得られることで十分な血流増進効果のあるシートが得られる。
【００１５】
なお、遠赤外線を放射する物質としては、各種金属酸化物や炭素繊維があるが、コストと機能のバランスの観点から金属酸化物が望ましく、よって、上記の実施の形態では酸化アルミニウムを用いているが、これ以外に、酸化チタンや酸化ジルコニウムの単独、あるいはこれらの併用を用いるようにしてもよい。
【００１６】
図１（Ｂ）は、本考案の第２の実施の形態の血流増進用シート１０ｂの縦断面図を示す。同図中、図（Ａ）と同一構成部分には同一符号を付してある。この血流増進用シート１０ｂは、シート状のポリエチレンフォーム（ＰＥフォーム）１１と、ポリエステル（ＰＥＴ）フィルム１２とが積層された構造である。
【００１７】
ＰＥＴフィルム１２は、図２の縦断面図に示すように、例えば、厚さ１５μｍのポリエチレン（ＰＥ）層１２１と、厚さ１２μｍのポリエステル（ＰＥＴ）層１２２とが、アルミ蒸着層１２３により貼り合わせた構造とされている。この構造のＰＥＴフィルム１２は、ＰＥ層１２１の方をＰＥフォーム１１に対向させ、フレームラミ法で貼り合わせられる。このようにして、本実施の形態の血流増進用シート１０ｂは少ない材質で簡単な製造工程で製造することができる。
【００１８】
なお、ＰＥＴフィルム１２は、如水分解性があるので、アルカリ性や浸水の可能性がある用途に使用する場合は、ＰＥＴフィルム１２に替えて、耐熱性のあるポリオレフィン系フィルムを用いる。また、ＰＥＴフィルム１２に替えて、ポリエチレン（ＰＥ）フィルムを用いることも可能である。
【００１９】
図１（Ｃ）は、本考案の第３の実施の形態の血流増進用シート１０ｃの縦断面図を示す。同図中、図（Ａ）と同一構成部分には同一符号を付してある。この血流増進用シート１０ｃは、シート状のポリエチレンフォーム（ＰＥフォーム）１１の２つの表面のそれぞれに、表皮層１３、１４を積層した構造である。表皮層１３、１４としては、ポリエチレン、ポリプロピレンやポリエステルフィルムなどの各種プラスチックフィルムや、あるいはそれらの織布、不織布、ワリフなどが含まれる。なお、図１（Ｃ）ではＰＥフォーム１１の２つの表面の両方に表皮層１３、１４を積層したが、どちらか一方を削除して片方のみを積層した構造であってもよい。
【００２０】
以上の構造の本実施の形態の血流増進用シート１０ａ、１０ｂ、１０ｃは、遠赤外線を放射する物質を混ぜ込んでいるＰＥフォーム１１を有しているので、血流増進用シート１０ａ、１０ｂ、１０ｃの温度に応じて遠赤外線を放射する。この遠赤外線を吸収した人体あるいは物質は、遠赤外線のエネルギーを物質の分子や格子、原子などの振動エネルギーや回転エネルギーに変換し、物質自体が発熱する。
【００２１】
従って、放射率を修正したステファン・ボルツマンの法則に従い、上記のシート１０から周囲温度に応じて遠赤外線による熱エネルギーが放出される。このシート１０の放出熱エネルギーは、周囲温度が高いほど大きくなるが、ポリエチレンの融点を考慮して好ましくは６０℃程度までの温度で使用するのが望ましい。
【００２２】
次に、本実施の形態の血流増進用シート１０ｂを一例としてマットレスに適用した場合の測定結果について説明する。この測定は東京電機大学工学部の町好雄教授の指導の下に町教授の人体科学研究室にて行われたものである。
【００２３】
試験方法は、血流増進用シート１０ｂを組み込んだマットレス（第１のマットレス）と、そのマットレスから血流増進用シート１０ｂを抜き取ったマットレス（これはカバーのみとなるが便宜上第２のマットレスという）とに順番に被験者が寝た状態で生理測定を行う方法である。サーモグラフの測定は、ベッド（第１のマットレス又は第２のマットレス）上にて座位で背中を測定するために、ベッドに寝る前と２６分横になった後で再び座位になり測定をしたものである。
【００２４】
測定のプロトコルは、被験者に最初に３分間安静閉眼にしてもらう。これは脳波測定において目を開けることでβ波が出てしまうことを防ぐためである。このようにすると、α波の出方で、最初と最後に脳波を測定することでリラックスできるかどうかを評価できる。ベッドで寝ている時には毛布を１枚かけている。最初の３分が経過すると、ベッドで寝たまま安静開眼の状態でいる。２０分経過すると再び安静閉眼を３分間行い、試験終了となる。
【００２５】
サーモグラムの測定結果では、被験者の背中の測定ポイントの温度がベッドで寝る前は３４.０℃であり、第２のマットレス使用時は約３０分経過時に背骨から首付近までの狭い範囲に温度上昇が見られ、測定ポイントの温度は３５.１℃であった。これに対し、第１のマットレス使用時は、約３０分経過時に背中全体が温度上昇していることが観測でき、測定ポイントの温度は３５.４℃であり、血流増進用シートの遠赤外線効果が確認できた。
【００２６】
また、脳波トポグラフの測定結果では、リラックスしてくると後頭部からα波が発生することで確認でき、第２のマットレス使用時では、α波の出方が弱く、リラックスの程度が低い測定結果が得られた。一方、第１のマットレス使用時では、最初に弱かったα波が最後にかなり強くなっており、よりリラックスできたことが確認できた。
【００２７】
次に、生理測定結果について説明する。図３は第１のマットレス使用時の生理測定結果、図４は第２のマットレス使用時の生理測定結果を示す。図３及び図４のそれぞれにおいて、（Ａ）は被験者の首の血流（相対値）、（Ｂ）は指先のパルス、（Ｃ）は心電図の最大値、（Ｄ）は首の温度の上昇、（Ｅ）は緊張度（相対値）、（Ｆ）はマーク、（Ｇ）は心拍数を示す。
【００２８】
図４（Ａ）に示す血流増進用シート１０ｂを有さない第２のマットレス使用時の首の血流は、最初の安静時にくらべて減少気味であるのに対し、図３（Ａ）に示す血流増進用シート１０ｂを組み込んだ第１のマットレス使用時の首の血流は、平均的にみると血流が増加していることが分かる。血流量が増加するには、２つの可能性がある。一つは心臓の動きが早くなり、血流が増加する場合であり、もう一つはリラックスして血管が広がり、血流量が増加する場合である。
【００２９】
これを確かめるには、図３（Ｇ）、図４（Ｇ）に示す心拍数を見るとよい。図４（Ｇ）に示す第２のマットレス使用時における心拍数は、変動があるが後半ではやや増加の傾向がある。これは交感神経系がやや活発になることを示している。すなわち、少しだけ緊張していることになる。これに対して、図３（Ｇ）に示す第１のマットレス使用時における心拍数は、変動があるものの平均的には低下しており、これは副交感神経系がやや強く働いていることを意味する。これは脳波でいうとリラックスすることに相当し、心拍数が減少し、血管が広がって血流が増加したものと分かる。
【００３０】
交感神経系か副交感神経系のどちらが強く働いたかは、図３（Ｂ）、図４（Ｂ）に示す指先のパルス、図３（Ｃ）、図４（Ｃ）に示す心電図の最大値を見ても分かる。ここでは、心電図の方が容易に分かる。すなわち、心電図の最大の値が最初の安静時より増加すれば副交感神経系がより強く働いたことを示し、図４（Ｃ）の場合は最初の最大値より減少しているが、図３（Ｃ）の場合はそのようなことがなく、よりリラックスしていることが分かる。
【００３１】
同様に、図３（Ｅ）、図４（Ｅ）に示す緊張度を比較すると、第２のマットレス使用時は図４（Ｅ）に示すように、傾向として右下がりのグラフであるが、途中に変動があること、更に最終の値が０.２３であるのに対し、第１のマットレス使用時は図３（Ｅ）に示すように、単純に右下がりのグラフで途中には変動がなく、最終の値が０.１５である。この最終の値が低いほどリラックスの程度が高いことを示している。従って、図３（Ｅ）の方が図４（Ｅ）よりもリラックスの程度が高いことを示している。
【００３２】
また、図３（Ｄ）、図４（Ｄ）に示す首の温度の上昇のグラフを比較すると、両者共に時間の経過に従い、温度が上昇していることが分かるが、第１のマットレス使用時は図３（Ｄ）に示すように、温度表示１４０Ｆ（３７.８℃）に達するのは１３分程度と早いのに対し、第２のマットレス使用時は図４（Ｄ）に示すように１８分程度かかり、第１のマットレス使用により遠赤外線の効果が効いていることが分かる。
【００３３】
このように、脳波測定結果、サーモグラフ及び生理測定結果から血流増進用シート１０を使用した第１のマットレスは、使用していない第２のマットレスに比べてリラックス効果があり、体温上昇も早く、血流増進効果が見られた。
【００３４】
なお、上記の実施の形態では、血流増進用シート１０ｂをマットレスに用いたが、血流増進用シート１０ａ、１０ｃでもよく、また、本考案は血流増進用シートに限定されるものではなく、例えばベルトなどの装身具にも使用できる。また、血流増進用だけでなく、タオルに適用した場合は血流の増進の結果、皮膚を白くする効果や頭髪を黒くする効果なども実験の結果得られた。更には、本考案は、シートとしてだけでなく、チップ状又は粒状に加工した製品にも適用可能である。
【図面の簡単な説明】
【００３５】
【図１】本考案の各実施の形態の縦断面図である。
【図２】図１中のＰＥＴフィルムの一例の縦断面図である。
【図３】本考案のシートを組み込んだマットレスを使用したときに被験者の各種生理測定結果を示す図である。
【図４】本考案のシートを組み込んでいないマットレスを使用したときに被験者の各種生理測定結果を示す図である。
【符号の説明】
【００３６】
１０ａ、１０ｂ、１０ｃ  血流増進用シート
１１  ポリエチレン（ＰＥ）フォーム
１２  ポリエステル（ＰＥＴ）フィルム
１３、１４  表皮層
１２１  ポリエチレン（ＰＥ）層
１２２  ポリエステル（ＰＥＴ）層
１２３  アルミ蒸着層
【図１】
0003113687.tif 000003
【図２】
0003113687.tif 000004
【図３】
0003113687.tif 000005
【図４】
0003113687.tif 000006
【手続補正書】
【提出日】平成17年6月15日(2005.6.15)
【手続補正１】
【補正対象書類名】明細書
【補正対象項目名】００１６
【補正方法】変更
【補正の内容】
【００１６】
図１（Ｂ）は、本考案の第２の実施の形態の血流増進用シート１０ｂの縦断面図を示す。同図中、図１（Ａ）と同一構成部分には同一符号を付してある。この血流増進用シート１０ｂは、シート状のポリエチレンフォーム（ＰＥフォーム）１１に、表皮層としてポリエステル（ＰＥＴ）フィルム１２が積層された構造である。
【手続補正２】
【補正対象書類名】明細書
【補正対象項目名】００１９
【補正方法】変更
【補正の内容】
【００１９】
図１（Ｃ）は、本考案の第３の実施の形態の血流増進用シート１０ｃの縦断面図を示す。同図中、図１（Ａ）と同一構成部分には同一符号を付してある。この血流増進用シート１０ｃは、シート状のポリエチレンフォーム（ＰＥフォーム）１１の２つの表面のそれぞれに、表皮層１３、１４を積層した構造である。表皮層１３、１４としては、前記ＰＥＴフィルム１２あるいはＰＥフィルムやポリプロピレンフィルムなどの各種プラスチックフィルムや、あるいはそれらの織布、不織布、ワリフなどが含まれる。